(57)【要約】【課題】侵入防止に適応可能な雨樋を提供する。【解決手段】筒状の雨樋本体２と、雨樋本体２を壁面５に取り付ける取付構造とを備えた雨樋において、取付構造８は、雨樋本体２に設けられたガイドレール３と、ガイドレール３に連結され雨樋本体２を壁面５に取り付ける取付部材４とを備え、取付部材４は、壁面５に固定される固定部６と、固定部６に設けられガイドレール３に連結する取付部側連結部２６とを備え、取付構造８には、雨樋本体２の長さ方向に長く形成されると共に雨樋本体２と壁面５との隙間を塞ぐ登攀防止部９を設けたから、取付部材４により雨樋本体２を壁面５に取付けることができるため、長尺な取付部材４を備えた雨樋１において取付作業性に優れると共に、意匠性にも優れ、雨樋本体２には、壁面５との隙間を塞ぐ登攀防止部９が設けられているため、雨樋１を用いてよじ登ることを防止できる。【選択図】図１
2018131866.tif 000002
【特許請求の範囲】
【請求項１】
筒状の雨樋本体と、前記雨樋本体を取付箇所に取り付ける取付構造とを備えた雨樋において、
前記取付構造は、前記雨樋本体に設けられた取付部と、前記取付部に連結され前記雨樋本体を前記取付箇所に取り付ける取付部材とを備え、
前記取付部材は、前記取付箇所に固定される固定部と、前記固定部に設けられ前記取付部に連結する取付部側連結部とを備え、
前記取付構造には、前記雨樋本体の長さ方向に長く形成されると共に該雨樋本体と前記取付箇所との隙間を塞ぐ登攀防止部を設けたことを特徴とする雨樋。
【請求項２】
前記登攀防止部が前記取付構造の外面により構成されていることを特徴とする請求項１記載の雨樋。
【請求項３】
前記取付部材は、前記取付部と前記固定部との間に設けられる連結部材とを備え、
前記連結部材は、前記取付部に連結する前記取付部側連結部と、前記固定部に連結する固定部側連結部とを備えることを特徴とする請求項１又は２記載の雨樋。
【請求項４】
前記取付部に前記取付部側連結部が前記雨樋本体の長さ方向から嵌合することを特徴とする請求項１〜３のいずれか１項に記載の雨樋。
【請求項５】
前記取付部材の長さ方向端面に蓋体を設けたことを特徴とする請求項１〜４のいずれか１項に記載の雨樋。
【請求項６】
前記取付部材の長さ方向端面に、前記雨樋本体を支持する支持体を設けたことを特徴とする請求項４記載の雨樋。
【請求項７】
前記雨樋本体と前記登攀防止部が略同一長さであることを特徴とする請求項１〜６のいずれか１項に記載の雨樋。
【発明の詳細な説明】
【技術分野】
【０００１】
本発明は雨樋に関する。
【背景技術】
【０００２】
従来の雨水排水用雨樋は、材質に係らず、建物及び構造物に取付設置する場合、単独の取付金具を上下に間隔を置いて施工している（例えば特許文献１及び２）。
【０００３】
近年の気象変動により、大雪、ゲリラ豪雨、竜巻、突風及び大型台風などによる自然災害が頻発しており、建物の屋根材、外壁材、外装材、看板などが設計強度を超えた自然災害を受けると、被害が発生する虞がある。
【０００４】
そこで、強度基準が見直され、強度基準の改定が行われており、その結果、雨樋の取付金具も強度が増加し、自然災害が発生しても簡単に破損しない製品が開発されている。
【０００５】
ところが、自然災害による被害が減少している一方で、悪意を持った人による雨樋へのよじ登り侵入犯罪の増加が懸念される。
【０００６】
雨樋の取付金具も、より強度のあるものを使用するため、よじ登っても壊れなくなり、折からのスポーツクライミングやボルダリングブームもあり、建物の上階へ次から次へよじ登り、部外者がベランダや窓から侵入する虞が増加している。
【０００７】
そこで、上述した問題を考慮して、壁取り付け部と縦樋保持部との間の部分に忍び返しを設けたもの（例えば特許文献３）や、帯状金属板に複数の針状金属を突設したもの（例えば特許文献４）が提案されている。
【先行技術文献】
【特許文献】
【０００８】
【特許文献１】実開平５−１６９５８号公報
【特許文献２】特開２００９−１０２８１０号公報
【特許文献３】特開２００５−２９９３２７号公報
【特許文献４】実用新案登録第３０３８２８４号公報
【発明の開示】
【発明が解決しようとする課題】
【０００９】
しかし、特許文献３及び４では、鋭利な突起により侵入を抑制することができるが、反面、突起により人が生理的及び心理的に嫌悪感を抱くとともに、建物全体の意匠性を損なうという問題がある。
【００１０】
そこで、本発明では、上記の問題点を考慮して、外観意匠性に優れ、現場での取付作業性に優れる雨樋を提供することを目的とし、加えて、侵入防止に適応可能な雨樋を提供することを目的とする。
【課題を解決するための手段】
【００１１】
請求項１の発明は、筒状の雨樋本体と、前記雨樋本体を取付箇所に取り付ける取付構造とを備えた雨樋において、前記取付構造は、前記雨樋本体に設けられた取付部と、前記取付部に連結され前記雨樋本体を前記取付箇所に取り付ける取付部材とを備え、前記取付部材は、前記取付箇所に固定される固定部と、前記固定部に設けられ前記取付部に連結する取付部側連結部とを備え、前記取付構造には、前記雨樋本体の長さ方向に長く形成されると共に該雨樋本体と前記取付箇所との隙間を塞ぐ登攀防止部を設けたことを特徴とする。
【００１２】
請求項２の発明は、前記登攀防止部が前記取付構造の外面により構成されていることを特徴とする。
【００１３】
請求項３の発明は、前記取付部材は、前記取付部と前記固定部との間に設けられる連結部材とを備え、前記連結部材は、前記取付部に連結する前記取付部側連結部と、前記固定部に連結する固定部側連結部とを備えることを特徴とする。
【００１４】
請求項４の発明は、前記取付部に前記取付部側連結部が前記雨樋本体の長さ方向から嵌合することを特徴とする。
【００１５】
請求項５の発明は、前記取付部材の長さ方向端面に蓋体を設けたことを特徴とする。
【００１６】
請求項６の発明は、前記取付部材の長さ方向端面に、前記雨樋本体を支持する支持体を設けたことを特徴とする。
【００１７】
請求項７の発明は、前記雨樋本体と前記登攀防止部が略同一長さであることを特徴とする。
【発明の効果】
【００１８】
請求項１の構成によれば、取付部材により雨樋本体を取付箇所に取付けることができるため、長尺な取付部材を備えた雨樋において取付作業性に優れると共に、意匠性にも優れ、その雨樋本体には、取付箇所との隙間を塞ぐ登攀防止部が設けられているため、雨樋を用いてよじ登ることを防止できる。
【００１９】
請求項２の構成によれば、面状の外面によりよじ登ることを防止できる。
【００２０】
請求項３の構成によれば、連結部材の寸法を調整することにより、雨樋本体と取付箇所との間隔を調整することができる。
【００２１】
請求項４の構成によれば、雨樋本体に対して取付部材側を長さ方向にスライドすることにより、雨樋本体の取付部に取付部材の取付部側連結部を嵌合して連結することができる。
【００２２】
請求項５の構成によれば、蓋体により取付部材内へのゴミや水などの侵入を防止できる。
【００２３】
請求項６の構成によれば、取付部側連結部に嵌合した取付部を支持板により支持することにより、雨樋本体の下方へのずれを防止できる。
【００２４】
請求項７の構成によれば、登攀防止効果が向上する。
【図面の簡単な説明】
【００２５】
【図１】本発明の実施例１を示す雨樋と当て板の平面図である。
【図２】同上、雨樋の分解平面図である。
【図３】同上、当て板の固定箇所の拡大断面図である。
【図４】同上、下部側に固定構造を設けた雨樋の斜視図である。
【図５】同上、下部側に固定構造を設けた他の雨樋の斜視図である。
【図６】同上、略全長に固定構造を設けた雨樋の斜視図である。
【図７】同上、雨樋の下部側の側面図である。
【図８】同上、雨樋の上部側の側面図である。
【図９】同上、雨樋の接合個所の側面図である。
【図１０】同上、他の雨樋の側面図である。
【図１１】本発明の実施例２を示す雨樋の平面図である。
【図１２】同上、雨樋の斜視図である。
【図１３】本発明の実施例３を示す雨樋の平面図である。
【図１４】本発明の実施例４を示す雨樋の平面図である。
【図１５】本発明の実施例５を示す雨樋の平面図である。
【図１６】本発明の実施例６を示す雨樋の平面図である。
【図１７】本発明の実施例７を示す雨樋の平面図である。
【図１８】本発明の実施例８を示す雨樋の平面図である。
【図１９】本発明の実施例９を示す雨樋の平面図である。
【図２０】本発明の実施例１０を示す雨樋の平面図である。
【図２１】本発明の実施例１１を示す雨樋の平年図である。
【図２２】本発明の実施例１２を示す雨樋の平面図である。
【図２３】本発明の実施例１３を示す雨樋の平面図である。
【図２４】本発明の実施例１４を示す雨樋の側面図である。
【発明を実施するための最良の形態】
【００２６】
本発明における好適な実施の形態について、添付図面を参照しながら詳細に説明する。尚、以下に説明する実施の形態は、特許請求の範囲に記載された本発明の内容を限定するものではない。また、以下に説明される構成の全てが、本発明の必須要件であるとは限らない。各実施例では、従来とは異なる新規な雨樋を採用することにより、従来にない雨樋が得られ、その雨樋について記述する。
【実施例１】
【００２７】
以下、本発明の雨樋を添付図面を参照して説明する。図１〜図１０は、本発明の実施例１を示し、同図に示すように、雨樋１は、雨樋本体２の上下方向に沿って取付部たるガイドレール３を設け、このガイドレール３に取付部材４を連結し、この取付部材４を取付箇所たる建築物の壁面５に固定することにより、この壁面５と間隔をおいて前記雨樋本体２が該壁面５に固定される。尚、この例では前記雨樋本体２の断面形状は円形である。また、ガイドレール３を一体に設けた雨樋本体２は、アルミニウム合金製が例示されるが、材質に係らず押出し成型機や曲げ成型機などによる押出し成型や曲げ加工などにより形成され、図に示す断面形状が長さ方向全長に連続して形成され、以下の実施例の取付部材４も断わりのない場合、同一断面形状が長さ方向に連続する。
【００２８】
図２などに示すように、前記ガイドレール３は、雨樋本体２の外面から突出し、外側に向かって間隔が開く左右対称のレール体たる突片１１，１１を一体に備え、これら突片１１，１１の先端には、相互に近づくように内側に突出した先端縁部１２，１２が必要に応じて形成され、これら先端縁部１２，１２の先端は自由端であって、それら先端縁部１２，１２間の隙間により開口部１３が形成されている。そして、前記突片１１，１１は、雨樋本体２の直径方向と角度をなす。
【００２９】
この例では、前記取付部材４は、前記壁面５に固定される固定部６と、この固定部６と前記ガイドレール３とを連結する連結部材７とを備える。これら固定部６，連結部材７及び後述する当て板などにより、雨樋１を使って登ることを防止する侵入防止取付構造８を構成している。尚、固定部６及び連結部材７は、材質に係らず押出し成型機や曲げ成型機などにより形成される。
【００３０】
また、前記取付部材４の左右の外面により、雨樋本体２と壁面５との隙間を塞ぐ登攀防止部９を構成している。尚、この例では、固定側板部１７の前後寸法が小さいから、連結部材７の連結側板部２１の外面により登攀防止部９を構成してもよく、この場合、連結部材７より固定部６を短くし、複数の固定部６を間隔を置いて配置してもよい。
【００３１】
前記固定部６は、前記壁面５に当接する板状の固定本体１４を備え、この固定本体１４には、長さ方向に間隔を置いて複数の透孔１５が穿設され、この透孔１５に、取付箇所への固定手段であるアンカーボルト１６を挿通し、このアンカーボルト１６を壁面５に埋設固定している。また、固定部６は、前記固定本体１４の左右両側から突設した固定側板部（固定部６の側板部）１７，１７と、この固定側板部１７の先端に設けられた弾性係止部１８とを備え、この係止部１８は先端側内面に傾斜面１８Ａを設け、この傾斜面１８Ａの基端に係止段部１８Ｂが設けられている。
【００３２】
前記連結部材７は、左，右の連結側板部２１，２１と、前記固定部側の後板部２２と、前板部２３と、前記後板部２２の左右から後方に突出した弾性係止受部２４，２４とを一体に備え、この係止受部２４は先端側に湾曲状の先端部２４Ａを有し、この先端部２４Ａの外側基端に係止段部２４Ｂが設けられている。これら左右の係止受部２４，２４が前記係止部１８，１８に前後方向（近付く方向）から係止することにより前記固定部６に前記連結部材７が連結される。具体的には、両者を近付けると、前記傾斜面１８Ａに湾曲状の先端部２４Ａが当接し、さらに、近付けると、左右の係止受部２４，２４が近付くように弾性変形した後、係止段部１８Ｂ，２４Ｂ同士が係止する。尚、この場合、左右の係止部１８，１８も弾性変形するように構成してもよい。そして、前記係止受部２４により、連結部材７を固定部６に連結する固定部側連結部を構成している。
【００３３】
係止段部１８Ｂ，２４Ｂ同士が係止した連結状態で、前記係止部１８の先端が、前記係止受部２４の基端の段部２５に当接すると共に、固定側板部１７と連結側板部２１の外面が連続する。また、左右の連結側板部２１，２１の間隔は、雨樋本体２の左右幅である外径より狭い。
【００３４】
前記連結側板部２１の前端２１Ｔは、前記雨樋本体２の外面に当接又は近接し、この例では当接している。尚、当接する場合、前端２１Ｔは円形の雨樋本体２の外周形状に合わせて湾曲又は斜めに形成される。また、前記前板部２３の前面には、前記ガイドレール３に連結する取付部側連結部２６が設けられている。この取付部側連結部２６は、前記左右の突片１１，１１を左右から挟む左右の挟持突片２７，２７と、前記左右の先端縁部１２，１２の内面側に係止する左右の係止片２８，２８とを備え、ガイドレール３に対して取付部側連結部２６が長さ方向から挿入されることにより連結される。
【００３５】
前記固定本体１４の外面の左右に、左右の湾曲状の突片によりビスホール３１，３１を設け、また、前記固定側板部１７，１７の内面にビスホール３１，３１を設けている。取付状態で、前記ガイドレール３，連結部材７及び固定部６の上端面及び下端面を面一にし、その上端面又は／及び下端面に、滑り止め部材たる当て板３２を固定する。この当て板３２は、固定本体１４の外面と、左右の側板部１７，１７，２１，２１の外面と、雨樋本体２の外周とに囲まれた形状を有し、前記ビスホール３１，３１，３１，３１に対応して、透孔３３を穿設し、この透孔３３に螺合固定手段たる皿ねじ３４を挿通し、この皿ねじ３４を前記ビスホール３１，３１，３１，３１に螺合することにより固定部６と連結部材７に当て板３２が固定される。また、前記透孔３３には、前記皿ねじ３４の頭部３４Ｔを収納するテーパー部３３Ｔが設けられている。
【００３６】
そして、前記当て板３２を端面板として使用する場合、前記当て板３２を連結部材７及び固定部６の上端面に固定することにより、連結部材７及び固定部６の長さ方向のズレが防止され、前記当て板３２を連結部材７及び固定部６の下端面に固定することより、ガイドレール３を設けた雨樋本体２と連結部材７と固定部６の長さ方向のズレが防止される。このように取付部材４に固定した当て板３２は、上側の取付部たるガイドレール３を支持する支持体であり、また、当て板３２は、固定部６の端面を塞ぐ蓋体であるから、固定部６内へのゴミや水の侵入を防止できる。
【００３７】
図４及び図５に示す雨樋１は、複数の雨樋本体２を上下方向に連結し、途中には雨樋本体２に分岐管４１を設けたＴ字形雨樋本体４２が設けられており、雨樋１の下部側の雨樋本体２に侵入防止取付構造８を設け、この例では、Ｔ字形雨樋本体４２に接続する雨樋本体２に侵入防止取付構造８を設け、侵入防止取付構造８の長さは４ｍ程度である。尚、図中４３，４４は、雨樋本体２を壁面５に固定する取付構造たる取付具であり、図４の取付具４３は図５の取付具４４より取付け強度が強い。また、上部の雨樋本体２には、雨水が流入する流入管４５が接続されている。尚、侵入防止取付構造８と登攀防止部９の長さは略等しい。
【００３８】
図４、図５及び図６に示したように、雨樋１の下部に登攀防止部９を設ける例では、図７に示すように、設置面１０からの登攀防止部９の上端の高さＨを３ｍ以上とすることが好ましく、設置面１０からの登攀防止部９の下端の高さＨ１は１ｍ以下でもよく、この場合は登攀防止部９の長さは２ｍ以上で良く、また、雨樋１の下部でも、中間でも、登攀防止部９が３ｍ以上あれば、より確実な登攀防止効果が得られる。
【００３９】
また、図６に示すように、登攀防止部９を雨樋１の略全長に設ける場合、上下の取付構造８，８の間に多少の隙間があっても良く、この場合の隙間は、指３本や靴のつま先が入らない３０ｍｍ以下程度が例示される。具体的には、それぞれ１．５ｍの上下の登攀防止部９，９の間に隙間３０ｍｍを設けたものは、登攀防止部９が３ｍ以上となる。
【００４０】
図６に示す雨樋１は、その略全長に前記侵入防止取付構造８を設け、前記取付具４３，４４は用いていない。
【００４１】
図７に示すように、最下部の雨樋本体２の下部には、排水カバー管４６が設けられ、この排水カバー管４６の下部には埋設管４７が接続され、埋設管４７の少なくとも一部が設置面１０下方の地中に埋設されている。
【００４２】
また、図７〜図９に示すように、雨樋本体２の下部には、径小な挿入部４８を設け、この挿入部４８を下部の雨樋本体２内に挿入接続している。また、上下の雨樋本体２，２，４２の接合個所４９には前記当て板３２を設け、その接合個所４９には当て板３２の厚さに対応して隙間を設ける。また、接合個所４９に設ける当て板３２は、上下のいずれか一方の端面に固定すればよい。尚、図４に示したように、侵入防止取付構造８を下側に１箇所のみ設ける場合は、取付部材４の上下に当て板３２を固定することが好ましい。この場合、少なくとも、取付部材４の下端に当て板３２を設けることにより、下端の当て板３２がガイドレール３を支持する。尚、図９のように上下に取付部材４，４がある場合は、当て板３２は、上下いずれの取付部材４，４に固定してもよく、下側の当て板３２の上に上側のガイドレール３が載置状態で支持される。
【００４３】
図１０では、Ｔ字形雨樋本体４２を除いた雨樋１の縦樋の略全長に侵入防止取付構造８を設けている。また、ベランダなどの建築物の下面５Ｋに、横樋の雨樋本体２Ｙを侵入防止取付構造８により取り付けており、こうすることにより横樋雨樋本体２Ｙを使い、ぶら下がって移動することを防止できる。
【００４４】
次に、上記構成につきその作用・効果を説明する。雨樋本体２に対して同じ長さの取付部材４を形成する。この場合、連結部材７は雨樋本体２と同じ長さのものを用い、固定部は雨樋本体２と同じ長さのものを用いる以外に、長いものや短いものを用いることができる。
【００４５】
まず、固定部６をアンカーボルト１６により壁面５に固定する。一方、固定部６に取り付ける前に、ガイドレール３の一端部に取付部側連結部２６の他側を合わせ、雨樋本体２に対して連結部材７を長さ方向にスライドしてガイドレール３に取付部側連結部２６を嵌合する。このように長尺なガイドレール３と取付部側連結部２６との連結作業を簡便に行うことができる。
【００４６】
この嵌合後に、取付部材４の上下の必要な端面に、当て板３２を皿ねじ３４により固定する。地上で複数の雨樋本体２，２・・・を連結した後、連結部材７の係止受部２４，２４を壁面５に近付けるようにして前後方向から係止部１８，１８に嵌合する。この場合、連結部材７を固定部６に近付けるようにして平行移動し、係止受部２４，２４と係止部１８，１８とを嵌合する。このように嵌合作業を容易に行うことができる。或いは、固定部６への取付と同時に、雨樋本体２を下の雨樋本体２を接続してもよい。この場合は、予め、挿入部４８の長さ分以上だけ、連結部材７に対して雨樋本体２を上にずらしておき、その連結部材７を固定部６に取付けた後、上の雨樋本体２を下げて下の雨樋本体２の上部開口に上の雨樋本体２の挿入部４８を挿入接続する。
【００４７】
このようにして設置した雨樋１においては、雨樋本体２と壁面５との間が取付構造８の登攀防止部９，９により塞がれているため、雨樋本体２を手で握って登ることができず、また、取付部材４の上端面が露出していないか、その上端面が地上から離れた上に位置するか、上，下の取付部材４，４の上端面の間隔が離れているため、足を掛けることができない。また、登攀防止部９たる外面には鋭利な突起がなく、略平面状の外面が連続して表れるため、意匠性にも優れる。尚、両側の登攀防止部９，９は平行に配置されている。
【００４８】
このように本実施例では、請求項１に対応して、筒状の雨樋本体２と、雨樋本体２を取付箇所たる壁面５に取り付ける取付構造とを備えた雨樋において、取付構造８は、雨樋本体２に設けられた取付部たるガイドレール３と、ガイドレール３に連結され雨樋本体２を壁面５に取り付ける取付部材４とを備え、取付部材４は、壁面５に固定される固定部６と、前記固定部６に設けられガイドレール３に連結する取付部側連結部２６とを備え、取付構造８には、雨樋本体２の長さ方向に長く形成されると共に該雨樋本体２と壁面５との隙間を塞ぐ登攀防止部９を設けたから、取付部材４により雨樋本体２を壁面５に取付けることができるため、長尺な取付部材４を備えた雨樋１において取付作業性に優れると共に、意匠性にも優れ、その雨樋本体２には、壁面５との隙間を塞ぐ登攀防止部９が設けられているため、雨樋１を用いてよじ登ることを防止できる。
【００４９】
このように本実施例では、請求項２に対応して、登攀防止部９が取付部材４の外面により構成されているから、面状の外面によりよじ登ることを防止できる。
【００５０】
このように本実施例では、請求項３に対応して、取付部材４は、取付部たるガイドレール３と固定部６との間に設けられる連結部材７を備え、連結部材７は、ガイドレール３に連結する取付部側連結部２６と、固定部６に連結する固定部側連結部たる係止受部２４とを備えるから、連結部材７の前後方向の製作寸法を調整することにより、雨樋本体２と壁面５との間隔を調整することができる。
【００５１】
このように本実施例では、請求項４に対応して、取付部たるガイドレール３に取付部側連結部２６が雨樋本体２の長さ方向から嵌合するから、雨樋本体２に対して取付部材４側を長さ方向にスライドすることにより、雨樋本体２のガイドレール３に取付部材４の取付部側連結部２６を嵌合して連結することができる。
【００５２】
このように本実施例では、請求項５に対応して、取付部材４の長さ方向端面に蓋体たる当て板３２を設けたから、当て板３２により取付部材４内へのゴミや水などの侵入を防止できる。
【００５３】
このように本実施例では、請求項６に対応して、取付部材４の長さ方向端面に、雨樋本体２を支持する支持体たる当て板３２を設けたから、取付部側連結部２６に嵌合したガイドレール３を当て板３２により支持することにより、雨樋本体２の下方へのずれを防止できる。
【００５４】
このように本実施例では、請求項７に対応して、雨樋本体２と登攀防止部９が略同一長さであるから、登攀防止効果が向上する。
【００５５】
実施例上の効果として、ガイドレール３と取付部側連結部２６とが長さ方向にスライドしての嵌合であるのに対して、固定部６と連結部材７とが長さ方向と交差方向に移動して近付けることによる嵌合であり、係止部１８と係止受部２４が段発的に嵌合するから、壁面５に固定部６を固定した後の取付が容易となる。また、当て板３２は取付部材４の上下端面に固定することにより、蓋体と支持板を兼用するから、利便性に優れる。さらに、ビスホール３１とビスたる皿ねじ３４を用いることにより、当て板３２の固定を確実且つ容易に行うことができる。また、建築物の下面５Ｋに、横樋の雨樋本体２Ｙを侵入防止取付構造８により取り付けるから、横樋の雨樋本体２Ｙにぶら下がって移動することを防止できる。さらに、固定部６と連結部材７の端面に当て板３２を設けたから、固定部６と連結部材７の上下方向のずれを防止できる。また、固定部６と連結部材７にそれぞれビスホール３１を設けたから、固定部６と連結部材７の上端においてビスホール３１により当て板３２を固定することにより、当て板３２の下の固定部６と連結部材７のずれを防止することができる。さらに、当て板３２は、左右の側板部１７，１７，２１，２１の外面、即ち登攀防止部９，９より外部に出っ張る部分がないから、足などを掛けることができない。
【実施例２】
【００５６】
図１１及び図１２は本発明の実施例２を示し、上記実施例１と同一部分に同一符号を付し、その詳細な説明を省略して詳述する。この例では、雨樋本体２の変形例を示し、この例の雨樋本体２は前，後板部３６，３６と左，右板部３７，３７を有する断面方形をなし、後板部３６の左右方向中央に前記ガイドレール３が設けられている。
【００５７】
図１２に示す雨樋１は、複数の方形をなす雨樋本体４２を上下方向に連結し、途中にはＴ字形雨樋本体４２，４２が設けられ、上側のＴ字形雨樋本体４２の分岐管４１は円形をなし、下側のＴ字形雨樋本体４２の分岐管４１は方形をなしている。また、最下部の雨樋本体は曲管５０になっている。そして、上端の雨樋本体２，Ｔ字形雨樋本体４２，４２及び曲管５０を除いた雨樋１の略全長に前記侵入防止取付構造８を設けている。
【００５８】
このように本実施例では、角形筒状の雨樋本体２と壁面５との隙間に登攀防止部９，９を設けたから、上記実施例１と同様な作用・効果を奏する。
【実施例３】
【００５９】
図１３は本発明の実施例３を示し、上記各実施例と同一部分に同一符号を付し、その詳細な説明を省略して詳述する。この例では、取付部たるガイドレール３と取付部側連結部２６の変形例を示す。
【００６０】
実施例１の雨樋本体２において、ガイドレール３は、前後方向の突片１１Ａ，１１Ａを備え、これら突片１１Ａ，１１Ａの先端側には、相互に近づくように左右方向で内側に突出した先端縁部１２Ａ，１２Ａが形成され、これら先端縁部１２Ａ，１２Ａの先端は自由端であって、それら先端縁部１２Ａ，１２Ａ間の隙間により前記開口部１３が形成されている。
【００６１】
取付部側連結部２６は、前後片と左右片からなるＬ型の係止突片５１，５１により構成されている。
【００６２】
このように本実施例では、ガイドレール３が前後方向の突片１１Ａ，１１Ａを備え、これに長さ方向から嵌合する取付部側連結部２６を備えるから、上記各実施例と同様な作用・効果を奏する。
【実施例４】
【００６３】
図１４は本発明の実施例４を示し、上記各実施例と同一部分に同一符号を付し、その詳細な説明を省略して詳述する。この例では、実施例２の雨樋本体２に、実施例３のガイドレール３を設け、実施例２の連結部材７に、実施例３の取付部側連結部２６を設けている。
【００６４】
このように本実施例では、角形筒状の雨樋本体２と壁面５との隙間に登攀防止部９，９を設けたから、上記各実施例と同様な作用・効果を奏する。
【実施例５】
【００６５】
図１５は本発明の実施例５を示し、上記各実施例と同一部分に同一符号を付し、その詳細な説明を省略して詳述する。この例では、取付部たるガイドレール３と取付部側連結部２６の変形例を示す。
【００６６】
実施例１の雨樋本体２において、ガイドレール３は、雨樋本体２の外周の後側左右に肉厚部５２，５２を形成し、こられ肉厚部５２，５２に、中央側に開口した係止溝５３，５３を設けてなり、これら左右の係止溝５３，５３の間には間隔が設けられている。
【００６７】
取付部側連結部２６は、前記係止溝５３，５３に係止する係止突片５４，５４により構成されている。
【実施例６】
【００６８】
図１６は本発明の実施例６を示し、上記各実施例と同一部分に同一符号を付し、その詳細な説明を省略して詳述する。この例では、実施例２の角型の雨樋本体２に、実施例５のガイドレール３を設け、実施例２の連結部材７に、実施例５の取付部側連結部２６を設けている。
【実施例７】
【００６９】
図１７は本発明の実施例７を示し、上記各実施例と同一部分に同一符号を付し、その詳細な説明を省略して詳述する。この例では、雨樋本体２に連結部材７を一体に設けている。そして、連結部材７を一体に設けた雨樋本体２は、材質に係らず押出し成型機や曲げ成型機などにより形成される。
【００７０】
具体的には、雨樋本体２に前記連結側板部２１，２１を一体に設け、これら連結側板部２１，２１の後端に前記係止部１８，１８を設けている。また、前記固定部６は、前記固定本体１４の左右に前記係止受部２４，２４を設けている。尚、ビスホール３１は連結側板部２１，２１のみに設けられている。また、連結側板部２１の内面には、ストッパ部たるストッパ片５６が突設され、このストッパ片５６は前記係止受部２４の先端に対応して設けられ、前記ストッパ片５６により、前後方向の連結時に、係止部１８が固定本体１４の内面側まで移動することを防止している。
【００７１】
そして、この例では、前記係止部１８，１８を設けた連結側板部２１，２１により、雨樋本体２の取付部５７を構成し、また、固定部６に設けた係止受部２４により取付部側連結部２６Ａを構成している。さらに、前記固定部６により取付部材４を構成している。また、取付構造８の取付部５７の外面が登攀防止部９である。
【００７２】
この例では、前記当て板３２は、固定本体１４と両連結側板部２１，２１の外面と前記雨樋本体２の外周により囲まれた形状をなす。そして、この例でも、断面円型の雨樋本体２に代えて断面方形の雨樋本体２を用いてもよい。また、この例では、壁面５と雨樋本体２との間隔が狭いものに適している。
【００７３】
このように本実施例では、請求項１に対応して、筒状の雨樋本体２と、雨樋本体２を取付箇所たる壁面５に取り付ける取付構造とを備えた雨樋において、取付構造８は、雨樋本体２に一体に設けられた取付部５７と、取付部５７に連結され雨樋本体２を壁面５に取り付ける取付部材４とを備え、取付部材４は、壁面５に固定される固定部６と、前記固定部６に設けられ取付部５７に連結する取付部側連結部２６Ａとを備え、取付構造８には、雨樋本体２の長さ方向に長く形成されると共に該雨樋本体２と壁面５との隙間を塞ぐ登攀防止部９を設けたから、上記各実施例と同様な作用・効果を奏する。
【実施例８】
【００７４】
図１８は本発明の実施例８を示し、上記各実施例と同一部分に同一符号を付し、その詳細な説明を省略して詳述する。この例では、雨樋本体２に連結部材７を一体に設けている。具体的には、連結側板部２１，２１を雨樋本体２に一体に設けると共に、それら連結側板部２１，２１を実施例７に比べて長く形成しており、壁面５と雨樋本体２との間隔が広いものに適している。
【００７５】
そして、この例では、前記係止受部２４，２４を設けた連結側板部２１，２１により、雨樋本体２の取付部５７Ａを構成し、また、固定部６に設けた係止部１８により取付部側連結部２６Ｂを構成している。さらに、前記固定部６により取付部材４を構成している。また、取付構造８の取付部５７Ａの外面とこれに連続する固定側板部１７の外面が登攀防止部９である。
【実施例９】
【００７６】
図１９は本発明の実施例９を示し、上記各実施例と同一部分に同一符号を付し、その詳細な説明を省略して詳述する。この例では、連結部材７は、前側連結部材６１と後側連結部材６２を組み立ててなる。
【００７７】
前記固定部６には、固定本体１４と固定側板部１７，１７の角部に前記ビスホール３１を設けられている。
【００７８】
前記後側連結部材６２は、前記固定側板部１７，１７の前端に前記係止部１８，１８を設け、前記係止部１８の後側で前記固定側板部１７の内面に左右方向の前記ストッパ片５６，５６が突出されている。また、左右の連結側板部２１，２１の前側には、左右方向の中板部６３が設けられ、この中板部６３と連結側板部２１の角部に前記ビスホール３１を設けている。
【００７９】
前記前側連結部材６１は、前記前板部２３の後面左右に前記係止受部２４，２４を設け、前記前板部２３の前面左右に、前連結側板部２１Ｍ，２１Ｍを設け、図１９に示すように、前連結側板部２１Ｍの前端２１Ｔは雨樋本体２の外周に近接している。
【００８０】
前記取付部側連結部２６は、前記左右の突片１１，１１を左右から挟む左右の挟持突片６４，６４からなり、これら左右の挟持突片６４，６４は前側に向かって間隔が狭まるように斜めに突設されている。
【００８１】
尚、当て板３２は、固定本体１４の外面と、左右の側板部１７，１７，２１，２１，２１Ａ，２１Ａの外面と、雨樋本体２の外周とに囲まれた形状を有する。
【００８２】
このように本実施例では、請求項３に対応して、取付部材４は、取付部たるガイドレール３と固定部６との間に設けられる連結部材７を備え、連結部材７は、前側連結部材６１と後側連結部材６２を組み立ててなり、ガイドレール３に連結する取付部側連結部２６と、固定部６に連結する固定部側連結部たる係止受部２４とを備えるから、上記各実施例と同様な作用・効果を奏する。
【００８３】
また、取付部たるガイドレール３にスライド嵌合する前側連結部材６１が比較的軽量となるから、ガイドレール３と取付部側連結部２６との連結作業が容易となる。さらに、前側連結部材６１には、取付部たるガイドレール３の形状に対応する係止受部２４を設ければよいから、取付部材４において、他の部材の汎用性が向上する。
【実施例１０】
【００８４】
図２０は本発明の実施例１０を示し、上記各実施例と同一部分に同一符号を付し、その詳細な説明を省略して詳述する。この例の取付部５７Ａは、左右の連結側板部２１，２１の前端を湾曲前板部６６により連結し、この湾曲前板部６６は前記雨樋本体２の外周に倣って湾曲している。前記連結側板部２１の後端に前記係止部１８と前記ストッパ片５６を設け、また、前記連結側板部２１の内側にビスホール３１を設けている。そして、前記取付部５７Ａは、アルミニウム合金の押出し成型などにより形成される。
【００８５】
前記固定部６は、固定本体１４からなり、この固定本体１４の左右両側に前記係止受部２４，２４を設けており、前記固定部６により取付部材４を構成している。
【００８６】
そして、雨樋本体２と別体の前記連結部材７の前記湾曲前板部６６を、シート材６７を挟んで雨樋本体２の外面に沿わせ、防水リベット６８等の固定手段により雨樋本体２に固定する。尚、前記シート材６７はゴム板や樹脂板などが用いられ、緩衝材となる。尚、前記防水リベット６８を用いた固定では、雨樋本体２にリベット６８を挿通する孔を防水することができる。
【００８７】
このように本実施例では、雨樋本体２の製造後に所望の形状の取付部５７Ａを設けることができ、例えば、雨樋本体２と壁面５との間隔に対応した取付部５７Ａを選択でき、利便性に優れる。また、緩衝材となるシート材６７を用いたから、雨樋１における振動、膨張や収縮に対応できる。
【実施例１１】
【００８８】
図２１は本発明の実施例１１を示し、上記各実施例と同一部分に同一符号を付し、その詳細な説明を省略して詳述する。この例では、雨樋本体２に設けた取付部に、固定部６の連結部を連結手段たるボルトナットにより連結する取付構造８を採用している。
【００８９】
同図に示すように、前記雨樋本体２には、左右対称のレール体たる突片７１，７１と、この突片７１，７１の内側に短い突片７２，７２とを一体に備え、突片７１，７２の間には、前後方向の溝部７３が設けられている。尚、突片７１，７１，７２，７２が取付部３Ａである。
【００９０】
この例では、前記取付部材４は固定部６のみからなり、この固定部６の固定本体１４の左右から前記固定側板部１７，１７を前側に突設し、これら固定側板部１７，１７は前記に突片７１，７１と平行をなす。それら固定側板部１７，１７の先端側に、前記固定側板部１７の略厚さに対応した段部７４を設け、前後方向から前記固定側板部１７の先端１７Ｓが溝部７３に挿入されると共に、前記突片７１の先端が前記段部７４に当接し、突片７１に対して固定部６が位置決めされる。この位置決め状態で連通する透孔７１Ｔ，１７Ｔが前記突片７１及び前記固定側板部１７の先端側に穿設されている。そして、前記固定側板部１７の先端１７Ｓにより、取付部３Ａを固定部６に連結する固定部側連結部を構成している。
【００９１】
従って、左右の透孔７１Ｔ，１７Ｔ，７１Ｔ，１７Ｔにボルト７５を挿通し、このボルト７５にナット７６を螺合して締めることにより、固定部６に雨樋本体２が連結固定される。尚、透孔７１Ｔ，１７Ｔは固定部６及び雨樋本体２の長さ方向に間隔を置いて複数穿設されている。
【００９２】
そして、取付構造８の固定側板部１７と突片７１の外面により登攀防止部９を構成している。
【００９３】
このように本実施例では、請求項１に対応して、取付構造８は、雨樋本体２に設けられた取付部３Ａと、取付部３Ａに連結され雨樋本体２を壁面５に取り付ける取付部材４とを備えるから、上記各実施例と同様な作用・効果を奏し、また、取付部３Ａと取付部側連結部たる先端１７Ｓとを連結する締付連結手段たるボルト７５及びナット７６を備えから、ボルト７５の螺合により、雨樋本体２と固定部６とを連結固定することができる。
【実施例１２】
【００９４】
図２２は本発明の実施例１２を示し、上記各実施例と同一部分に同一符号を付し、その詳細な説明を省略して詳述する。この例では、実施例１１の固定部６の固定側板部１７の内面にビスホール３１を設けている。
【００９５】
従って、取付部材４の上下端面に当て板３２を皿ねじ３４により取り付けることができ、取付部材４内へのゴミや水の侵入を防止できる。
【実施例１３】
【００９６】
図２３は本発明の実施例１３を示し、上記各実施例と同一部分に同一符号を付し、その詳細な説明を省略して詳述する。この例では、雨樋本体２に設けた取付部に、固定部６の固定部側連結部を連結手段たるボルトナットにより連結する取付構造８を採用している。
【００９７】
同図に示すように、前記雨樋本体２は、左右対称のレール体たる突片８１，８１を一体に備え、これら突片８１，８１の間には、前後方向の溝部８２が設けられている。尚、突片８１，８１が取付部３Ｂである。
【００９８】
この例では、前記取付部材４は固定部６のみからなり、この固定部６の固定本体１４の左右方向中央から固定中央板部８３を前側に突設し、この固定中央板部８３は前記突片８１，８１と平行をなす。また、前記固定中央板部８３の両外面には、ストッパ部たるストッパ片８４，８４が設けられている。そして、前後方向から前記固定中央板部８３の先端８３Ｓを前記溝部８２に挿入し、前記突片８１，８１の先端が前記ストッパ片８４，８４に当接し、これにより突片８１に対して固定部６が位置決めされる。この位置決め状態で連通する透孔８１Ｔ，８３Ｔが、前記突片８１及び前記固定中央板部８３の先端側に穿設されている。
【００９９】
従って、透孔８１Ｔ，８３Ｔ，８１Ｔにボルト８５を挿通し、このボルト８５にナット８６を螺合して締めることにより、固定部６に雨樋本体２が連結固定される。尚、透孔８１Ｔ，８３Ｔは固定部６及び雨樋本体２の長さ方向に間隔を置いて複数穿設されている。
【０１００】
また、固定部６の固定本体１４には、固定中央板部８３の左右がアンカーボルト１６，１６により壁面５に固定されている。そして、前記固定中央板部８３の溝部８２に挿入される先端８３Ｓにより固定部側連結部を構成している。
【０１０１】
そして、取付構造８の固定中央板部８３の外面と左右の突片８１，８１の外面により登攀防止部９，９を構成している。
【０１０２】
このように本実施例では、請求項１に対応して、取付構造８は、雨樋本体２に設けられた取付部３Ｂと、取付部３Ｂに連結され雨樋本体２を壁面５に取り付ける取付部材４とを備えるから、上記各実施例と同様な作用・効果を奏し、また、取付部３Ｂと取付部側連結部たる先端８３Ｓとを連結する締付連結手段たるボルト８５及びナット８６を備えから、ボルト８５の螺合により、雨樋本体２と固定部６とを連結固定することができる。
【実施例１４】
【０１０３】
図２４は本発明の実施例１４を示し、上記各実施例と同一部分に同一符号を付し、その詳細な説明を省略して詳述する。この例では、前記当て板３２の取付構造の変形例を示し、同図に雨樋本体２の長さ方向途中で、ガイドレール３と取付部材４に、長さ方向と交差方向の挿入溝８８を形成し、この挿入溝８８に前記当て板３２を挿入し、必要に応じて当て板３２を挿入溝８８に接着などにより固定している。
【０１０４】
従って、雨樋本体２の長さ方向途中で、取付部材４に対して固定された当て板３２に、雨樋本体２のガイドレール３が支持される。
【０１０５】
このように本実施例では、取付部材４の長さ方向の途中に雨樋本体２の取付部たるガイドレール３を支持する支持体たる当て板３２を設けたから、雨樋本体２の下方へのずれを防止でき、当て板３２は取付部材４の上端面、下端面及び途中の少なくともいずれかに配置することができる。
【０１０６】
以上、本発明の実施例について詳述したが、本発明は前記各実施形態に限定されるものではなく、本発明の要旨の範囲内で種々の変形実施が可能である。例えば、実施例では、当て板の固定手段として皿ねじを用いたが、当て板を取付部材の端面に接着などの他の固定方法により固定してもよい。また、固定部と取付部材との連結は各種の構造を採用できる。さらに、固定部と取付部との連結も各種の構造を用いることができる。また、取付箇所が下面５Ｋの場合、横方向の雨樋本体の下が前（先端側）、上が後（基端側）となり、さらに、斜めの取付箇所に雨樋本体を取付けてもよい。
【符号の説明】
【０１０７】
１  雨樋
２  雨樋本体
２Ｙ  横樋
３  ガイドレール（取付部）
３Ａ，３Ｂ  取付部
４  取付部材
５  壁面（取付箇所）
５Ｋ  下面（取付箇所）
６  固定部
７  連結部材
８  侵入防止取付構造（取付構造）
９  登攀防止部
１７Ｓ  先端（固定部側連結部）
２４  係止受部（固定部側連結部）
２６，２６Ａ，２６Ｂ  取付部側連結部
３２  当て板（蓋体・支持板）
５１  係止突片（取付部側連結部）
７１  突片（取付部）
７１Ｓ  先端（固定部側連結部）
８３Ｓ  先端（固定部側連結部）
【図１】
2018131866.tif 000003
【図２】
2018131866.tif 000004
【図３】
2018131866.tif 000005
【図４】
2018131866.tif 000006
【図５】
2018131866.tif 000007
【図６】
2018131866.tif 000008
【図７】
2018131866.tif 000009
【図８】
2018131866.tif 000010
【図９】
2018131866.tif 000011
【図１０】
2018131866.tif 000012
【図１１】
2018131866.tif 000013
【図１２】
2018131866.tif 000014
【図１３】
2018131866.tif 000015
【図１４】
2018131866.tif 000016
【図１５】
2018131866.tif 000017
【図１６】
2018131866.tif 000018
【図１７】
2018131866.tif 000019
【図１８】
2018131866.tif 000020
【図１９】
2018131866.tif 000021
【図２０】
2018131866.tif 000022
【図２１】
2018131866.tif 000023
【図２２】
2018131866.tif 000024
【図２３】
2018131866.tif 000025
【図２４】
2018131866.tif 000026